(57)【要約】【課題】意図的にユーザに覚醒効果を与えたり、リラックス効果を与えたりすることができる照明装置及び照明システムを提供する。【解決手段】制御装置１００は、空を再現した領域と雲を再現した領域とからなる第１の映像コンテンツと、第１の映像コンテンツに示される空を再現した領域に対する雲を再現した領域の面積比率の所定時間における平均値が第１の映像コンテンツよりも小さい第２の映像コンテンツとを格納する記憶部１２０と、第１の映像コンテンツ又は第２の映像コンテンツに応じて第１の照明装置１０から出射する光の輝度分布及び色度分布の少なくとも一方を時間的に変化させることで、第１の映像コンテンツ又は第２の映像コンテンツを第１の照明装置１０に再生させる制御部１１０とを備える。そして、制御部１１０は、第１の照明装置１０に再生させる第１の映像コンテンツと第２の映像コンテンツとを切り替える。【選択図】図５
2019102166.tif 000002
【特許請求の範囲】
【請求項１】
空の様子を擬似的に再現することが可能な照明装置を制御する制御装置であって、
空を再現した領域と雲を再現した領域とからなる第１の映像コンテンツと、前記第１の映像コンテンツに示される空を再現した領域に対する雲を再現した領域の面積比率の所定時間における平均値が前記第１の映像コンテンツよりも小さい第２の映像コンテンツとを格納する記憶部と、
前記第１の映像コンテンツ又は前記第２の映像コンテンツに応じて前記照明装置から出射する光の輝度分布及び色度分布の少なくとも一方を時間的に変化させることで、前記第１の映像コンテンツ又は前記第２の映像コンテンツを前記照明装置に再生させる制御部とを備え、
前記制御部は、前記照明装置に再生させる前記第１の映像コンテンツと前記第２の映像コンテンツとを切り替える
制御装置。
【請求項２】
前記第１の映像コンテンツは、前記所定時間において、第１の範囲内で青空を再現した領域に対する雲を再現した領域の面積比率が変化し、
前記第２の映像コンテンツは、前記所定時間において、前記第１の範囲の面積比率よりも低い比率である第２の範囲内で、青空を再現した領域に対する雲を再現した領域の面積比率が変化する
請求項１に記載の制御装置。
【請求項３】
前記第１の映像コンテンツに基づいて前記照明装置が出射した光に含まれる、青色光の強度の所定時間の平均値は、前記第２の映像コンテンツに基づいて前記照明装置が出射した光に含まれる、青色光の強度の所定時間の平均値よりも少ない
請求項１又は２に記載の制御装置。
【請求項４】
請求項１〜３のいずれか１項に記載の制御装置と、
前記照明装置として光を出射する光源とを備える
照明装置。
【請求項５】
前記光源は、面状に配置された複数のＬＥＤ素子であり、
さらに、
前記複数のＬＥＤ素子から出射された光を透過して出射する光拡散板を備え、
前記制御装置は、前記複数のＬＥＤ素子を制御する
請求項４に記載の照明装置。
【請求項６】
前記複数のＬＥＤ素子は、白色光、青色光、及び橙色光を出射することが可能であり、
前記第１の映像コンテンツ、及び前記第２の映像コンテンツには、青空、雲、曇り空、夕空、又はこれらの組み合わせた空を示す映像コンテンツが含まれている
請求項５に記載の照明装置。
【請求項７】
請求項１〜３のいずれか１項に記載の制御装置と、
面状に配置された複数のＬＥＤ素子と、前記複数のＬＥＤ素子から出射された光を透過して出射する光拡散板とを有する第１の照明装置と、
前記第１の照明装置と異なる位置に配置された第２の照明装置とを備え、
前記制御装置は、
前記第１の映像コンテンツを前記第１の照明装置に再生させる場合に、第１の出力で前記第２の照明装置を点灯させ、
前記第２の映像コンテンツを前記第１の照明装置に再生させる場合に、前記第１の出力よりも大きい第２の出力で前記第２の照明装置を点灯させる
照明システム。
【請求項８】
前記第２の照明装置は、複数設けられ、
前記制御装置は、前記第１の照明装置からの距離が近い位置に配置されている前記第２の照明装置ほど、前記第１の出力、又は前記第２の出力を大きくするように第２の照明装置を制御する
請求項７に記載の照明システム。
【請求項９】
前記第１の照明装置は、複数設けられ、
前記制御装置は、前記第１の映像コンテンツ及び前記第２の映像コンテンツが示す映像を、空間的に分割し、分割した映像を、各々の前記第１の照明装置の設置位置に応じて出力する
請求項７又は８に記載の照明システム。
【発明の詳細な説明】
【技術分野】
【０００１】
本開示は、制御装置、照明装置及び照明システムに関し、特に、自然の空の様子を擬似的に再現した制御装置、照明装置及び照明システムに関する。
【背景技術】
【０００２】
光色・配光可変用光源である液晶パネルと、液晶パネル用ランプと、照明用光源とを制御する制御装置とを備える照明装置が開示されている（例えば特許文献１参照）。この照明装置では、光の光度、配光、色温度を種々変化させることで、夕日、木漏れ日、月明かり等のやすらぎを感じる自然の照明環境を演出することが可能である。
【先行技術文献】
【特許文献】
【０００３】
【特許文献１】特開平１１−１４４５１０号公報
【発明の概要】
【発明が解決しようとする課題】
【０００４】
このような照明装置を用いて、単に空を実現することはできても、意図的にユーザに覚醒効果を与えたり、リラックス効果を与えたりしたいという要望がある。
【０００５】
そこで、本開示は、意図的にユーザに覚醒効果を与えたり、リラックス効果を与えたりすることができる制御装置、照明装置及び照明システムを提供することを目的とする。
【課題を解決するための手段】
【０００６】
上記目的を達成するため、本開示の一態様に係る制御装置は、空の様子を擬似的に再現することが可能な照明装置を制御する制御装置であって、空を再現した領域と雲を再現した領域とからなる第１の映像コンテンツと、前記第１の映像コンテンツに示される空を再現した領域に対する雲を再現した領域の面積比率の所定時間における平均値が前記第１の映像コンテンツよりも小さい第２の映像コンテンツとを格納する記憶部と、前記第１の映像コンテンツ又は前記第２の映像コンテンツに応じて前記照明装置から出射する光の輝度分布及び色度分布の少なくとも一方を時間的に変化させることで、前記第１の映像コンテンツ又は前記第２の映像コンテンツを前記照明装置に再生させる制御部とを備え、前記制御部は、前記照明装置に再生させる前記第１の映像コンテンツと前記第２の映像コンテンツとを切り替える。
【０００７】
また、本開示の一態様に係る照明装置は、制御装置と、前記照明装置として光を出射する光源とを備える。
【０００８】
また、本開示の一態様に係る照明システムは、制御装置と、面状に配置された複数のＬＥＤ素子と、前記複数のＬＥＤ素子から出射された光を透過して出射する光拡散板とを有する第１の照明装置と、前記第１の照明装置と異なる位置に配置された第２の照明装置とを備え、前記制御装置は、前記第１の映像コンテンツを前記第１の照明装置に再生させる場合に、第１の出力で前記第２の照明装置を点灯させ、前記第２の映像コンテンツを前記第１の照明装置に再生させる場合に、前記第１の出力よりも大きい第２の出力で前記第２の照明装置を点灯させる。
【発明の効果】
【０００９】
本開示によれば、意図的にユーザに覚醒効果を与えたり、リラックス効果を与えたりすることができる。
【図面の簡単な説明】
【００１０】
【図１】図１は、実施の形態に係る照明システムを示す説明図である。
【図２】図２は、実施の形態に係る照明システムを示すブロック図である。
【図３】図３は、実施の形態に係る照明システムの第１の照明装置を示す分解斜視図である。
【図４】図４は、実施の形態に係る照明システムがリラックスモード又は覚醒モードで動作する場合の、光拡散板に映し出される映像、光のスペクトル、覚醒効果、第２の照明装置が出射する光の明るさを示す説明図である。
【図５】図５は、実施の形態に係る照明システムの動作を示すフロー図である。
【図６】図６は、操作端末、光拡散板に映し出される映像、照明システムの点灯状態、及び雲の面積比率と第２の出力との関係を示す図である。
【図７】図７は、実施の形態の変形例１に係る照明システムの動作を示すフロー図である。
【図８】図８は、実施の形態の変形例２に係る照明システムの点灯状態を示す図である。
【発明を実施するための形態】
【００１１】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１２】
また、「略＊＊」との記載は、「略矩形状」を例に挙げて説明すると、完全な矩形状はもとより、実質的に矩形状と認められるものを含む意図である。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
以下、本開示の実施の形態に係る制御装置、照明装置及び照明システムについて説明する。
【００１５】
（実施の形態）
［構成］
図１は、実施の形態に係る照明システム１を示す説明図である。図２は、実施の形態に係る照明システム１を示すブロック図である。図３は、実施の形態に係る照明システム１の第１の照明装置１０示す分解斜視図である。
【００１６】
第１の照明装置１０を平面視した見た場合の長手方向をＸ軸方向と規定し、例えば光反射部材３０及び光拡散板４０の並びをＺ軸方向と規定し、Ｘ軸方向及びＺ軸方向と直交する方向をＹ軸方向と規定し、Ｘ、Ｙ、Ｚの各方向を表示する。図１に示す各方向は、図２に示す各方向に対応させて表示する。Ｘ、Ｙ、Ｚの各方向を表示していない図を除き、図２以降の図においても、同様である。
【００１７】
図１に示すように、本実施の形態に係る照明システム１は、ユーザに室内から窓を通して空を見るような感覚を疑似体験させることが可能な装置である。例えば、照明システム１は屋内に設置され、屋内の窓から、青空、曇り空、夕空等といった自然の空を模した光を疑似的に演出するシステムである。
【００１８】
図１及び図２に示すように、照明システム１は、第１の照明装置１０と、複数の第２の照明装置９０と、制御装置１００と、操作端末１５０とを備える。本実施の形態では、照明システム１は、１つの第１の照明装置１０と、複数の第２の照明装置９０とが造営材に配置されている。
【００１９】
［第１の照明装置］
第１の照明装置１０は、青空、曇り空、夕空といった自然の空の様子を擬似的に再現することが可能である。第１の照明装置１０は、青空、曇り空、夕空等の自然の空の動きを模した映像を表示する。第１の照明装置１０は、この自然の空を模した映像の光によって周囲を照明することが可能である。第１の照明装置１０は、制御装置１００に接続され、制御装置１００によって点灯、消灯、調光、及び調色等の動作が制御される。第１の照明装置１０は、照明器具、プロジェクタ等である。ここでいう映像は、動画像であるが、静止画でもよい。第１の照明装置１０は、照明装置の一例である。
【００２０】
第１の照明装置１０は、赤色光、青色光、黄色光、橙色光等の有彩色の光、及び白色光といった無彩色の光を出射することが可能である。また、第１の照明装置１０は、有彩色の光に限定されず、黒体軌跡に沿った所定の色温度の範囲の光を出射することも可能である。このため、第１の照明装置１０は、赤色等の低色温度の光から濃い青色の光も出射することが可能である。
【００２１】
図１〜図３に示すように、第１の照明装置１０は、筐体１１と、発光モジュール２０と、光反射部材３０と、光拡散板４０と、電源部６０とを備える。電源部６０、発光モジュール２０、光反射部材３０、光拡散板４０、及び筐体１１の枠部１３は、Ｚ軸プラス方向からＺ軸マイナス方向に向けてこの順で配置されている。Ｚ軸プラス方向は天井側であり、Ｚ軸マイナス方向は床面側である。
【００２２】
筐体１１は、発光モジュール２０と、光反射部材３０と、光拡散板４０と、電源部６０とを収容する収容体である。筐体１１は、扁平な箱体であり、平面視で略矩形状である。なお、筐体１１の形状は、略矩形状に限らず、略円形状、略多角形状、略半円状等の形状でもよく、形状は特に限定されない。
【００２３】
筐体１１は、例えば金属材料又は高い熱伝導性を有する非金属材料によって構成される。高い熱伝導性を有する非金属材料とは、例えば、熱伝導率が高い樹脂などである。筐体１１として熱伝導性の高い材料を用いることで、発光モジュール２０が発する熱を、筐体１１を介して外部に放熱することができる。なお、収容部１２と枠部１３とは、それぞれ別の材料で構成されていてもよい。
【００２４】
筐体１１は、収容部１２と、枠部１３とを有する。
【００２５】
収容部１２は、発光モジュール２０と、光反射部材３０と、光拡散板４０と、電源部６０とを収容する扁平な箱体である。なお、電源部６０は、収容部１２に収容されていなくてもよく、例えば筐体１１の外側に配置されていてもよい。
【００２６】
収容部１２には、Ｚ軸マイナス方向側の面に、発光モジュール２０が出射した光が通過する開口部１５が形成されている。開口部１５は、枠部１３及び光拡散板４０によって覆われている。収容部１２は、開口部１５を覆うように配置された光拡散板４０を収容する。開口部１５の大きさは、光拡散板４０に対応した大きさである。本実施の形態では、開口部１５の形状は、略矩形状である。
【００２７】
枠部１３は、光拡散板４０を固定する枠状の部材である。枠部１３は、収容部１２のＺ軸マイナス方向側の面の端縁に配置される。言い換えると、枠部１３は、収容部１２の開口部１５を囲むように、収容部１２のＺ軸マイナス方向側の面に配置される。枠部１３には、発光モジュール２０が出射した光が通過する開口部１６が形成されている。枠部１３は、平面視で略矩形状であるが、略矩形状に限らず、略円形状、略多角形状、略半円状等の形状でもよく、形状は特に限定されない。
【００２８】
枠部１３は、鍔部１３ａと、立ち上がり部１３ｂとを有する。第１の照明装置１０は、鍔部１３ａが天井面と面一となるように天井に配置される。立ち上がり部１３ｂは、鍔部１３ａの内周である開口部１６の端部からＺ軸プラス方向に向かって略鉛直に立ち上がる壁である。立ち上がり部１３ｂは、光拡散板４０のＺ軸マイナス方向から、光拡散板４０を支持している。
【００２９】
なお、収容部１２と枠部１３とが一体的に形成され筐体１１を構成してもよいし、収容部１２と枠部１３とは別体であり、収容部１２と枠部１３とを接着することで筐体１１を構成してもよい。
【００３０】
発光モジュール２０は、光拡散板４０に映像を形成するための光を出射するモジュールである。発光モジュール２０は、Ｘ軸方向及びＹ軸方向で規定される平面に対して略平行に保持されている。
【００３１】
発光モジュール２０は、基板２３と、基板２３に実装された複数のＬＥＤ素子２２とを有する。
【００３２】
基板２３は、複数のＬＥＤ素子２２を実装するためのプリント配線基板であり、略矩形状に形成されている。基板２３としては、例えば、樹脂をベースとする樹脂基板、金属をベースとするメタルベース基板、セラミックからなるセラミック基板等を用いることができる。
【００３３】
ＬＥＤ素子２２は、Ｚ軸マイナス方向に向かって光を出射する姿勢で、基板２３に実装されている。ＬＥＤ素子２２は、基板２３のＺ軸マイナス方向側の面に複数実装されている。例えば、複数のＬＥＤ素子２２は、基板２３に面状（行列状）に配置された、複数のＬＥＤ素子である。例えば、複数のＬＥＤ素子２２はそれぞれ、基板２３に等間隔で配置されている。ＬＥＤ素子２２は、光源の一例である。
【００３４】
ＬＥＤ素子２２は、ＬＥＤ（Ｌｉｇｈｔ  Ｅｍｉｔｔｉｎｇ  Ｄｉｏｄｅ）素子で構成されている。複数のＬＥＤ素子は、白色光、青色光、及び橙色光を出射することが可能である。本実施の形態では、例えば、ＬＥＤ素子２２は、青色光、緑色光及び赤色光を発光するＲＧＢタイプのＬＥＤ素子である。なお、ＬＥＤ素子２２は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型のＬＥＤ素子２２であってもよい。ＬＥＤ素子２２は、ＲＧＢ３色に限られず、ＲＧＢＷ４色であってもよいし、ＢＷ２色（青白２色）であってもよい。
【００３５】
また、図示しないが、基板２３には、制御装置１００からの制御信号を伝送するための配線である信号線及び電源部６０からの電力を供給するための配線である電力線が設けられている。例えば、信号線及び電力線は、複数のＬＥＤ素子２２のそれぞれを直列に接続する。複数のＬＥＤ素子２２のそれぞれは、電力線を介して電源部６０から電力の供給を受け、信号線からの制御信号に基づいて所定の光を発する。本実施の形態では、ＬＥＤ素子２２はＲＧＢタイプの素子であることから、青色光、緑色光及び赤色光の発光を制御することで様々な色の光を出射することができる。すなわち、制御装置１００によって各ＬＥＤ素子２２の発光を制御することで、例えば、青空、雲、曇り空、夕空等の映像を示す光を出射することができる。
【００３６】
光反射部材３０は、筒状であり、少なくとも一部が発光モジュール２０及び光拡散板４０の間に配置されている。光反射部材３０は、発光モジュール２０から出射された光を反射する性質を有する光学部材である。具体的には、光反射部材３０は、発光モジュール２０から光反射部材３０の内側面に入射した光を、光拡散板４０側に反射する。内側面は、光反射部材３０及び発光モジュール２０側の面である。
【００３７】
光反射部材３０は、例えばアルミニウムなどの金属材料で形成され、内側面に鏡面処理又は光拡散処理が施されている。例えば、鏡面処理とは、ポリッシング処理又はラッピング処理である。例えば、光拡散処理とは、アルマイト処理などのつや消し処理である。なお、光拡散処理は、少なくとも光反射部材３０の内側面に施されていればよい。また、光反射部材３０は、必ずしも鏡面処理又は光拡散処理が施されている必要はなく、鏡面処理又は光拡散処理を施す前の無地素材であってもよい。
【００３８】
光拡散板４０は、複数のＬＥＤ素子２２から出射された光を透過して出射する。より具体的には、光拡散板４０は、光拡散板４０のＺ軸プラス方向側の面である光入射面から入射した光を透過及び拡散し、光出射面から出射する拡散パネルである。光拡散板４０の形状は、枠部１３の開口部１６に対応した形状であり、平面視で略矩形状であるが、略矩形状に限らず、略円形状、略多角形状、略半円状等の形状でもよく、形状は特に限定されない。
【００３９】
光拡散板４０は、発光モジュール２０と対向するように発光モジュール２０よりもＺ軸マイナス方向側で、発光モジュール２０と略平行に配置されている。光拡散板４０は、平面視において矩形状の板材である。光拡散板４０は、枠部１３の開口部１６を覆っている。平面視において、光拡散板４０は、発光モジュール２０を覆うように、枠部１３に固定されている。このことから、光拡散板４０及び複数のＬＥＤ素子２２を平面視した場合に、枠部１３の開口部１６の形状と、複数のＬＥＤ素子２２が基板２３に配列された形状とが対応するように、略同一の形状となっている。
【００４０】
本実施の形態では、光拡散板４０は、枠部１３と光反射部材３０とで挟まれた状態で、収容部１２内に支持されている。なお、光拡散板４０は、枠部１３に固定されていてもよく、光反射部材３０に固定されていてもよく、本実施の形態には限定されない。
【００４１】
例えば、光拡散板４０は、透明なアクリル若しくはＰＥＴ（Ｐｏｌｙ  Ｅｔｈｙｌｅｎｅ  Ｔｅｒｅｐｈｔｈａｌａｔｅ）などの樹脂材料、又はガラスから構成された透明板に拡散加工が施されることで作製される。光拡散板４０が透明な材料から構成されることで、光拡散板４０は高い透過率を有する。例えば、光拡散板４０の全光線透過率は、８０％以上であり、より好ましくは９０％以上である。
【００４２】
拡散加工は、光拡散板４０の光入射面及び光出射面の少なくとも一方の面に施される。例えば、拡散加工として、微細なドット状の凹部からなるプリズムを形成するプリズム処理などがある。また、拡散加工は、プリズム処理に限定されず、シボ加工、印刷又は光拡散材の分散により行われてもよい。
【００４３】
拡散加工が施された光拡散板４０のヘイズ値は、例えば１０％以上９０％以下である。ヘイズ値を１０％以上とすることで、光拡散板４０が透明な材料で構成されていても、ユーザから発光モジュール２０のＬＥＤ素子２２が粒状に見えることを抑制できる。また、ヘイズ値を９０％以下とすることで、光拡散板４０に映し出される、映像の輪郭をある程度保てる。なお、ヘイズ値は、例えばプリズム処理により形成されるプリズムの形状及び大きさに応じて調整が可能である。映像の輪郭は、例えば、青空の中にある雲の輪郭である。
【００４４】
電源部６０は、商用電源から供給される交流電力を、整流、平滑及び降圧等して所定レベルの直流電力に変換し、当該直流電力を発光モジュール２０に供給する構成要素である。
【００４５】
［第２の照明装置］
複数の第２の照明装置９０は、第１の照明装置１０と異なる位置に配置されている。本実施の形態では、各々の第２の照明装置９０は、第１の照明装置１０の周囲に配置されている。第２の照明装置９０の各々は、例えば、第２の照明装置９０として光を出射する光源と開口カバーとを有するダウンライトである。第２の照明装置９０は、制御装置１００に接続されている。各々の第２の照明装置９０は、制御装置１００によって点灯、消灯、調光、及び調色等の動作が制御される。第２の照明装置９０は、例えば、ダウンライト、シーリングライト等である。第２の照明装置９０は、照明装置の一例である。
【００４６】
各々の第２の照明装置９０は、黒体軌跡に沿った所定の色温度の範囲の光を出射することが可能である。このため、各々の第２の照明装置９０は、赤色等の低色温度の光から濃い青色の光も出射することが可能である。また、各々の第２の照明装置９０は、色温度に限定されず、赤色光、青色光、黄色光、橙色光等の有彩色の光を出射することができる。
【００４７】
［制御装置］
制御装置１００は、第１の照明装置１０、及び各々の第２の照明装置９０を制御する装置である。制御装置１００は、制御部１１０と、記憶部１２０と、通信部１３０とを備える。
【００４８】
制御部１１０は、第１の照明装置１０、及び第１の照明装置１０の周囲に配置された各々の第２の照明装置９０の点灯、消灯、調光、及び調色等の動作を制御する装置である。制御部１１０は、第１の照明装置１０から出射される光の光量の変化、色温度の変化又は分光分布の変化が所定範囲内となるように、第１の照明装置１０の発光を制御する。また、制御部１１０は、各々の第２の照明装置９０から出射される光の光量の変化、色温度の変化又は分光分布の変化も所定範囲内となるように、各々の第２の照明装置９０の発光を制御する。ここでいう調色には、発光色又は色温度の調整等を含む。
【００４９】
制御部１１０は、記憶部１２０に格納された、第１の照明装置１０の点灯状態を示す第１の映像コンテンツ又は第２の映像コンテンツを取得する。制御部１１０は、記憶部１２０に格納された第１の映像コンテンツ又は第２の映像コンテンツに応じて第１の照明装置１０から出射する光の輝度分布及び色度分布の少なくとも一方を時間的に変化させることで、第１の映像コンテンツ又は第２の映像コンテンツを第１の照明装置１０に再生させる。また、制御部１１０は、第１の映像コンテンツ又は第２の映像コンテンツを再生した第１の照明装置１０に応じて、各々の第２の照明装置９０の点灯を制御する。
【００５０】
第１の映像コンテンツは、空を再現した領域と雲を再現した領域とからなる映像コンテンツである。ここでいう空を再現した領域には、青空を再現した領域、夕空を再現した領域、雲を再現した領域、曇り空を再現した領域等が含まれる。第１の映像コンテンツは、所定時間において、第１の範囲内で空を再現した領域に対する雲を再現した領域の面積比率が変化する。
【００５１】
第２の映像コンテンツは、第１の映像コンテンツに示される空を再現した領域に対する雲を再現した領域の、面積比率の所定時間における平均値が第１の映像コンテンツよりも小さい。つまり、第２の映像コンテンツが示す映像は、第１の映像コンテンツが示す映像よりも、青空を再現した領域が大きい。第２の映像コンテンツでは、所定時間において、第１の範囲の面積比率よりも低い比率である第２の範囲内で、空を再現した領域に対する雲を再現した領域の面積比率が変化する。
【００５２】
第１の映像コンテンツ及び第２の映像コンテンツには、青空を映し出すコンテンツ、雲を映し出すコンテンツ、曇り空を映し出すコンテンツ、夕空を映し出すコンテンツ、又はこれらの組み合わせた空を示すコンテンツ等といった、自然の空を模した映像を示すコンテンツが含まれる。各々のコンテンツは、第１の照明装置１０が所定の点灯状態で点灯する各々の点灯シーンである。第１の照明装置１０に第１の映像コンテンツ又は第２の映像コンテンツを映し出す場合に、制御部１１０は、第１の映像コンテンツ又は第２の映像コンテンツを記憶部１２０から取得し、取得した第１の映像コンテンツ又は第２の映像コンテンツに応じて発光モジュール２０の複数のＬＥＤ素子２２の発光を制御する。制御部１１０は、第１の映像コンテンツ又は第２の映像コンテンツが示す映像に対応する色味で、複数のＬＥＤ素子２２の発光を制御する。例えば、制御部１１０は、映像にある雲の位置に対応する各々のＬＥＤ素子２２から白色光を出射させ、映像にある青空の位置に対応する各々のＬＥＤ素子２２から青色光を出射させる。この複数のＬＥＤ素子２２の発光により、光拡散板４０には、第１の映像コンテンツ又は第２の映像コンテンツに対応した映像が映し出される。
【００５３】
第２の映像コンテンツに基づいて第１の照明装置１０が出射した光に含まれる、青色光の強度の所定時間の平均値は、第１の映像コンテンツに基づいて第１の照明装置１０が出射した光に含まれる、青色光の強度の所定時間の平均値よりも多い。つまり、第２の映像コンテンツの方が第１の映像コンテンツよりも青空を再現した領域が大きいため、第１の映像コンテンツに基づいて第１の照明装置１０が出射した光の強度よりも、第２の映像コンテンツに基づいて第１の照明装置１０が出射した光の方が青色光の強度が大きい。このため、第２の映像コンテンツに基づいて第１の照明装置１０が出射した光は覚醒効果があり、第１の映像コンテンツに基づいて第１の照明装置１０が出射した光はリラックス効果がある。
【００５４】
このように、制御部１１０は、第１の映像コンテンツに基づいて第１の照明装置１０に光を出射させリラックスモードと、第２の映像コンテンツに基づいて第１の照明装置１０に光を出射させる覚醒モードとを有する。制御部１１０は、第１の照明装置１０に再生させる第１の映像コンテンツと第２の映像コンテンツとを切り替えることで、リラックスモードと覚醒モードとを切り替える。制御部１１０は、操作端末１５０から、通信部１３０を介して、制御コマンドを受信することで、リラックスモードか、覚醒モードかに切り替える。また、制御部１１０は、照明連動が選択されている場合、各々の第２の照明装置９０を第１の照明装置１０に照明連動させる。制御コマンドは、リラックスモードに切り替える指示、又は、覚醒モードに切り替える指示、及び各々の第２の照明装置９０を第１の照明装置１０に照明連動させる指示である。
【００５５】
切り替えるとは、一例を挙げると、第１の照明装置１０がリラックスモードに選択されていた場合に、第１の照明装置１０を覚醒モードにすることである。なお、一例を挙げると、第１の照明装置１０がリラックスモードに選択されていた場合に、ユーザがリラックスモードを選択した場合は、リラックスモードが維持される。
【００５６】
制御部１１０は、リラックスモードと覚醒モードとを切り替える場合、瞬時に切り替えてもよく、規定時間をかけてリラックスモードから覚醒モードに次第に遷移するように切り替えてもよく、規定時間をかけて覚醒モードからリラックスモードに次第に遷移するように切り替えてもよい。この場合では、第１の映像コンテンツに示される雲の面積比率から第２の映像コンテンツに示される雲の面積比率に遷移したり、第２の映像コンテンツに示される雲の面積比率から第１の映像コンテンツに示される雲の面積比率に遷移したりする。雲の面積比率は、空を再現した領域に対する雲を再現した領域の面積比率のことである。
【００５７】
図４は、実施の形態に係る照明システム１がリラックスモード又は覚醒モードで動作する場合の、光拡散板４０に映し出される映像、光のスペクトル、覚醒効果、第２の照明装置９０が出射する光の明るさを示す説明図である。
【００５８】
図４に示すように、リラックスモードの映像では、第１の映像コンテンツに基づいて光拡散板４０に表示される映像、及び、第１の映像コンテンツが再生される時間と空を再現した領域に対する雲を再現した領域の面積比率との関係を示している。リラックスモードでは、雲の面積比率は、Ｒ１からＲ２までの第１の範囲である。雲の面積比率の平均値をａ１で示す。制御部１１０は、第１の映像コンテンツに応じて、空を再現した領域に対する雲を再現した領域の面積比率がＲ１からＲ２までの第１の範囲となるように、各々のＬＥＤ素子２２の発光態様を制御する。
【００５９】
リラックスモードでの光のスペクトルは、第１の映像コンテンツに基づいて第１の照明装置１０が出射した光を所定時間の平均値を示している。リラックスモードでは、光に含まれる青色成分の光の強度は小さい。このため、リラックスモードでは、ユーザが覚醒する覚醒効果は小さい。
【００６０】
制御部１１０は、第１の映像コンテンツに応じて第１の照明装置１０に再生させる場合に、第１の出力で第２の照明装置９０を点灯させる。つまり、リラックスモードでは、制御部１１０が第２の照明装置９０を第１の出力で点灯させる。
【００６１】
覚醒モードの映像では、第２の映像コンテンツに基づいて光拡散板４０に表示される映像、及び、第２の映像コンテンツが再生される時間と空を再現した領域に対する雲を再現した領域の面積比率との関係を示している。覚醒モードでは、雲の面積比率は、Ｔ１からＴ２までの第２の範囲である。雲の面積比率の平均値をａ２で示す。平均値ａ２は、平均値ａ１よりも小さい。制御部１１０は、第２の映像コンテンツに応じて、空を再現した領域に対する雲を再現した領域の面積比率がＴ１からＴ２までの第２の範囲となるように、各々のＬＥＤ素子２２の発光態様を制御する。
【００６２】
覚醒モードでの光のスペクトルは、第２の映像コンテンツに基づいて第１の照明装置１０が出射した光を所定時間の平均値を示している。覚醒モードでは、光に含まれる青色成分の光の強度は大きい。このため、覚醒モードでは、ユーザが覚醒する覚醒効果は大きい。
【００６３】
制御部１１０は、第１の照明装置１０と各々の第２の照明装置９０とを点灯する場合に、各々の第２の照明装置９０の点灯状態を第１の照明装置１０の点灯状態に連動させることができる。具体的には、制御部１１０は、第１の照明装置１０が再生する第１の映像コンテンツ又は第２の映像コンテンツが示す映像の変化に応じて、各々の第２の照明装置９０の出力を変化させる。つまり、制御部１１０は、第１の照明装置１０と各々の第２の照明装置９０との点灯状態が連動した照明連動させることができる。ここでいう出力は、第１の出力及び第２の出力を含む意味である。
【００６４】
制御部１１０は、第２の映像コンテンツに応じて第１の照明装置１０に再生させる場合に、第１の出力よりも大きい第２の出力で第２の照明装置９０を点灯させる。つまり、覚醒モードでは、制御部１１０が第２の照明装置９０を第２の出力で点灯させる。このため、リラックスモードで第２の照明装置９０が出射する光の明るさよりも、覚醒モードで第２の照明装置９０が出射する光の明るさの方が明るい。
【００６５】
制御部１１０は、第１の照明装置１０からの距離が近い位置に配置されている第２の照明装置９０ほど、第１の出力、又は第２の出力を大きくするように第２の照明装置９０を制御する。つまり、制御部１１０は、第１の照明装置１０から第１の距離に配置されている第２の照明装置９０が出射する光の第２の出力よりも、第１の照明装置１０から第１の距離より近い第２の距離に配置されている第２の照明装置９０が出射する光の第２の出力の方が大きくなるように、第２の照明装置９０を制御する。
【００６６】
例えば、各々の第２の照明装置９０を造営材に設置する際に、ユーザが操作端末１５０を介して、第１の照明装置１０から各々の第２の照明装置９０までの距離を記憶部１２０に入力しておいてもよい。制御部１１０は、記憶部１２０に格納された第１の照明装置１０から各々の第２の照明装置９０までの距離に応じて、第２の照明装置９０が出射する光を制御してもよい。
【００６７】
図１〜図３に示す制御装置１００の説明に戻る。
【００６８】
制御部１１０は、第１の照明装置１０と信号線により電気的に接続されている。制御部１１０は、記憶部１２０から取得した第１の映像コンテンツ又は第２の映像コンテンツに応じて、第１の照明装置１０の青色ＬＥＤ、緑色ＬＥＤ及び赤色ＬＥＤのそれぞれの明るさに関する情報を含む制御信号を、信号線を介して第１の照明装置１０のＬＥＤ素子２２に出力する。制御信号を受信したＬＥＤ素子２２は、当該制御信号に基づいて青色、緑色及び赤色を発光する。
【００６９】
制御部１１０は、例えば映像の動きが不自然にならないような時間間隔で、第１の照明装置１０の発光モジュール２０に対して制御信号を出力する。これにより、例えば空の中で雲が動いている映像などを表示する場合、より自然な動きを表示することができる。
【００７０】
記憶部１２０は、第１の映像コンテンツと、第２の映像コンテンツとを格納する。記憶部１２０は、不揮発性のメモリであってもよく、例えば、ＳＲＡＭ等の揮発性のメモリであってもよい。
【００７１】
通信部１３０は、操作端末１５０と通信を行うことが可能な無線通信モジュールである。通信部１３０は、操作端末１５０から制御コマンドを受信する。
【００７２】
［操作端末］
操作端末１５０は、制御装置１００を介して、第１の照明装置１０及び各々の第２の照明装置９０を操作することが可能な端末である。操作端末１５０は、表示部１５２と、通信部１５１とを有する。表示部１５２は、ユーザがリラックスモードと覚醒モードとを切り替える場合、第１の照明装置１０と各々の第２の照明装置９０とを照明連動させる場合に、リラックスモードと覚醒モードとを表示する操作パネルである。また、表示部１５２は、第１の照明装置１０と各々の第２の照明装置９０とを照明連動させる場合に、照明連動する及び照明連動しないを表示する。操作端末１５０は、ユーザが表示部１５２を操作することによって、リラックスモードと覚醒モードとを切り替える制御コマンドを、通信部１５１を介して、制御装置１００に送信する。通信部１５１は、制御装置１００と無線通信することが可能な装置である。
【００７３】
操作端末１５０は、例えば、スマートフォン、タブレット式端末、リモートコントローラ等である。ユーザは、操作端末１５０を介して、記憶部１２０に格納されている点灯データを読み出してもよく、第１の照明装置１０及び各々の第２の照明装置９０を制御する点灯データを新たに設定することができてもよい。
【００７４】
［動作］
次に、制御装置１００、第１の照明装置１０、第２の照明装置９０及び照明システム１の動作について説明する。
【００７５】
図５は、実施の形態に係る照明システムの動作を示すフロー図である。
【００７６】
なお、以下の動作の説明では、例えば、最初にリラックスモードが選択されている場合に、ユーザが覚醒モードを選択した場合であり、ユーザが照明連動を選択した場合を想定する。また、最初に覚醒モードが選択されている場合であり、ユーザがリラックスモードを選択した場合も同様であるため、その説明を省略する。
【００７７】
まず、図５に示すように、ユーザは、操作端末１５０を操作することで、リラックスモードか覚醒モードかを選択することができる。ここでは、ユーザは、例えば、覚醒モードを選択し、照明連動を選択する。ユーザが操作端末１５０を介して好みのモードを選択すると、操作端末１５０は、制御コマンドを、制御装置１００に送信する。本実施の形態では、制御コマンドは、覚醒モードに切り替えることを示している。制御装置１００は、制御コマンドを受信したか否かを判断する（Ｓ１）。
【００７８】
次に、制御コマンドを受信した場合（Ｓ１でＹＥＳ）、制御部１１０は、記憶部１２０に格納されている映像コンテンツを選択する（Ｓ２）。本実施の形態では、制御部１１０は、覚醒モードに対応する第２の映像コンテンツを選択する。なお、映像コンテンツという場合は、第１の映像コンテンツ、及び第２の映像コンテンツを纏めて述べることを意味する。
【００７９】
一方、制御コマンドを受信していない場合（Ｓ１でＮＯ）、制御部１１０は、ステップＳ１に戻り同様の処理を行う。
【００８０】
次に、制御部１１０は、選択した映像コンテンツに応じて、第１の照明装置１０を制御する（Ｓ３）。本実施の形態では、制御部１１０は、第２の映像コンテンツに応じて第１の照明装置１０の点灯状態を制御する。つまり、ユーザが第２の映像コンテンツを選択することで、制御部１１０は、第１の照明装置１０をリラックスモードから覚醒モードに切り替える。
【００８１】
次に、制御部１１０は、第１の照明装置１０に各々の第２の照明装置９０を照明連動させるか否かを判断する（Ｓ４）。制御部１１０は、端末装置１５０から取得した制御コマンドに照明連動を行う情報が含まれているか否かを判断する。
【００８２】
第１の照明装置１０に各々の第２の照明装置９０を照明連動させる場合（Ｓ４でＹＥＳ）、制御部１１０は、選択された映像コンテンツに応じて各々の第２の照明装置９０を制御する（Ｓ５）。
【００８３】
本実施の形態では、制御部１１０は、ユーザが選択した第２の映像コンテンツに応じて、リラックスモードで各々の第２の照明装置９０が点灯する場合よりも、各々の第２の照明装置９０を明るく点灯させる。つまり、制御部１１０は、第２の出力で各々の第２の照明装置９０を点灯させる。また、第２の照明装置９０が複数ある場合、制御部１１０は、第１の照明装置１０からの距離が近い位置に配置されている第２の照明装置９０ほど、第１の出力、又は第２の出力を大きくするように第２の照明装置９０を制御する。これにより、雲の多い空では暗く感じ、雲の少ない空では明るく感じるという、自然に近い照明環境を提供することができる。
【００８４】
なお、ユーザがリラックスモードを選択した場合、制御部１１０は、ユーザが選択した第１の映像コンテンツに応じて、覚醒モードで各々の第２の照明装置９０が点灯する場合よりも、各々の第２の照明装置９０を暗く点灯させる。つまり、制御部１１０は、第１の出力で各々の第２の照明装置９０を点灯させる。
【００８５】
そして、制御部１１０は、この処理を終了し、ステップＳ１に戻る。
【００８６】
一方、第１の照明装置１０に各々の第２の照明装置９０を照明連動させない場合（Ｓ４でＮＯ）、制御部１１０は、この処理を終了し、ステップＳ１に戻る。
【００８７】
［まとめ］
このような照明システム１では、制御装置１００の制御部１１０は、記憶部１２０に格納されている第１の映像コンテンツ又は第２の映像コンテンツに応じて、第１の照明装置１０の発光モジュール２０を制御する。これにより発光モジュール２０のＬＥＤ素子２２が出射した光は、光反射部材３０で反射して光拡散板４０の光入射面に入射したり、光拡散板４０の光入射面に直接入射したりする。このような光は、光拡散板４０を透過及び拡散して、光拡散板４０の光出射面から出射する。
【００８８】
図６は、操作端末１５０、光拡散板４０に映し出される映像、照明システム１の点灯状態、及び雲の面積比率と第２の出力との関係を示す図である。
【００８９】
図６の（ａ）では、ユーザが操作端末１５０を操作して覚醒モードを選択し、かつ、照明連動をした場合を例示している。図６の（ｂ）では、図６の（ａ）の場合での照明システム１の点灯状態を示すイメージ図である。図６の（ｂ）に示すように、リラックスモードでは、光拡散板４０に、１つの大きな雲と青空とが映し出され、覚醒モードでは、光拡散板４０に、１つの小さな雲と青空とが映し出されている。図６の（ｃ）では、第１の照明装置１０に近い第２の照明装置９０ほど、明るく点灯する（第１の出力、又は第２の出力が大きい）ことを示すイメージ図である。図６の（ｄ）では、リラックスモード及び覚醒モードの場合での、雲の面積比率及び第２の照明装置９０の第２の出力との関係を示す図である。覚醒モードでは、リラックスモードにおける第１の出力で第２の照明装置９０を点灯させる場合よりも大きい第２の出力で、第２の照明装置９０を点灯させる。
【００９０】
制御装置１００は、図６の（ｄ）のような、第２の出力で各々の第２の照明装置９０を点灯させるテーブルを有していてもよい。この場合、制御部１１０は、記憶部１２０に格納されているテーブルを読み出して、各々の第２の照明装置９０の点灯状態を制御してもよい。このテーブルは、第１の映像コンテンツ、及び第２の映像コンテンツに含まれていてもよい。
【００９１】
制御部１１０は、第１の映像コンテンツ及び第２の映像コンテンツに応じて、空を再現した領域と雲を再現した領域との面積比率が所定の比率となるように、複数のＬＥＤ素子２２を制御する。これにより、光拡散板４０には、点灯データに応じた映像が映し出される。このため、光拡散板４０には、点灯データに応じて、青空の濃淡の変化、雲の移り変わりといった自然の空の映像が表示される。
【００９２】
［作用効果］
次に、本実施の形態における制御装置１００、第１の照明装置１０、第２の照明装置９０及び照明システム１の作用効果について説明する。
【００９３】
上述したように、本実施の形態に係る制御装置１００は、空の様子を擬似的に再現することが可能な第１の照明装置１０を制御する。制御装置１００は、空を再現した領域と雲を再現した領域とからなる第１の映像コンテンツと、第１の映像コンテンツに示される空を再現した領域に対する雲を再現した領域の面積比率の所定時間における平均値が第１の映像コンテンツよりも小さい第２の映像コンテンツとを格納する記憶部１２０と、第１の映像コンテンツ又は第２の映像コンテンツに応じて第１の照明装置１０から出射する光の輝度分布及び色度分布の少なくとも一方を時間的に変化させることで、第１の映像コンテンツ又は第２の映像コンテンツを第１の照明装置１０に再生させる制御部１１０とを備える。そして、制御部１１０は、第１の照明装置１０に再生させる第１の映像コンテンツと第２の映像コンテンツとを切り替える。
【００９４】
このように、制御部１１０は、第１の照明装置１０に再生させる第１の映像コンテンツと第２の映像コンテンツとを切り替える。このため、第１の映像コンテンツでは第１の照明装置１０に青空の少ない映像が表示され、第２の映像コンテンツでは第１の映像コンテンツの場合に比べて第１の照明装置１０に青空の多い映像が表示される。つまり、青空が多い第２の映像コンテンツではユーザの覚醒効果が見込まれ、青空が少ない第１の映像コンテンツではユーザのリラックス効果が見込まれる。
【００９５】
したがって、この制御装置１００では、第１の照明装置１０を制御することで、意図的にユーザに覚醒効果を与えたり、リラックス効果を与えたりすることができる。
【００９６】
また、本実施の形態に係る第１の照明装置１０又は第２の照明装置９０は、制御装置１００と、第１の照明装置１０又は第２の照明装置９０として光を出射する光源とを備える。
【００９７】
また、本実施の形態に係る第１の照明装置１０において、光源は、面状に配置された複数のＬＥＤ素子２２である。第１の照明装置１０は、さらに、複数のＬＥＤ素子２２から出射された光を透過して出射する光拡散板４０を備える。そして、制御装置１００は、複数のＬＥＤ素子２２を制御する。
【００９８】
これらにおいても、上述と同様の作用効果を奏する。
【００９９】
また、本実施の形態に係る制御装置１００において、第１の映像コンテンツは、所定時間において、第１の範囲内で青空を再現した領域に対する雲を再現した領域の面積比率が変化する。そして、第２の映像コンテンツは、所定時間において、第１の範囲の面積比率よりも低い比率である第２の範囲内で、青空を再現した領域に対する雲を再現した領域の面積比率が変化する。
【０１００】
リラックスモードでは、所定時間における平均値だけを単純に見れば、覚醒モードに比べて雲が多い。しかし、例えば、リラックスモードでも、ある特定の時間だけ雲が極端に少なくなるような状況となると、その時間だけ青色光が多くなり、ユーザが覚醒してしまう。そこで、第１の映像コンテンツでは、第１の範囲内で青空を再現した領域に対する雲を再現した領域の面積比率を変化させ、第２の映像コンテンツでは、第２の範囲内で青空を再現した領域に対する雲を再現した領域の面積比率を変化させる。このため、第１の照明装置１０は、ある特定の時間だけ雲が極端に少なくなるといったような映像を映し出すといったこともない。このため、この制御装置１００では、ユーザが覚醒効果とリラックス効果との安定性を確保することができる。
【０１０１】
また、本実施の形態に係る制御装置１００において、第１の映像コンテンツに基づいて第１の照明装置１０が出射した光に含まれる、青色光の強度の所定時間の平均値は、第２の映像コンテンツに基づいて第１の照明装置１０が出射した光に含まれる、青色光の強度の所定時間の平均値よりも少ない。
【０１０２】
この構成によれば、第１の映像コンテンツに基づいて第１の照明装置１０が点灯した場合では、青色光が少ないため、ユーザはリラックス効果を期待することができ、第２の映像コンテンツに基づいて第１の照明装置１０が点灯した場合では、青色光が多いため、ユーザは覚醒効果を期待することができる。
【０１０３】
また、本実施の形態に係る照明装置１０において、複数のＬＥＤ素子２２は、白色光、青色光、及び橙色光を出射することが可能である。また、第１の映像コンテンツ、及び第２の映像コンテンツには、青空、雲、曇り空、夕空、又はこれらの組み合わせた空を示す映像コンテンツが含まれている。
【０１０４】
このように、第１の映像コンテンツ、及び第２の映像コンテンツは、青空、雲、曇り空、夕空、又はこれらの組み合わせた空を示すため、第１の照明装置１０は、自然の空を再現した映像を映し出すことができる。
【０１０５】
また、本実施の形態に係る照明システム１は、制御装置１００と、面状に配置された複数のＬＥＤ素子２２と、複数のＬＥＤ素子２２から出射された光を透過して出射する光拡散板４０とを有する第１の照明装置１０と、第１の照明装置１０と異なる位置に配置された第２の照明装置９０とを備える。そして、制御装置１００は、第１の映像コンテンツに応じて第１の照明装置１０に再生させる場合に、第１の出力で第２の照明装置９０を点灯させ、第２の映像コンテンツに応じて第１の照明装置１０に再生させる場合に、第１の出力よりも大きい第２の出力で第２の照明装置９０を点灯させる。
【０１０６】
このように、制御装置１００は、第１の映像コンテンツを第１の照明装置１０に再生させる場合に、第１の出力で第２の照明装置９０を点灯させたり、第２の映像コンテンツを第１の照明装置１０に再生させる場合に、第２の出力で第２の照明装置９０を点灯させたりする。このため、制御装置１００は、第１の照明装置１０、及び各々の第２の照明装置９０を連動して制御することが可能である。その結果、照明システム１では、より自然に近い照明環境を提供することができる。
【０１０７】
また、本実施の形態に係る照明システム１において、第２の照明装置９０は、複数設けられる。そして、制御装置１００は、第１の照明装置１０からの距離が近い位置に配置されている第２の照明装置９０ほど、第１の出力、又は第２の出力を大きくするように第２の照明装置９０を制御する。
【０１０８】
このように、制御装置１００は、第１の照明装置１０からの距離が近い位置に配置されている第２の照明装置９０ほど、第１の出力、又は第２の出力を大きくするように第２の照明装置９０を制御する。これにより、第１の照明装置１０の近くに存在する第２の照明装置９０は明るく点灯し、第１の照明装置１０から遠い第２の照明装置９０は暗く点灯する。このため、第１の照明装置１０が出射する光の明るさと第２の照明装置９０が出射する光の明るさとの差異によって生じる、ユーザに与える違和感を抑制することができる。その結果、この照明システム１では、第１の照明装置１０の周辺が明るく見えるため、より自然な照明環境を演出することができる。
【０１０９】
（実施の形態の変形例１）
本変形例に係る制御装置１００、第１の照明装置１０、第２の照明装置９０及び照明システム１について説明する。本変形例の制御装置１００、第１の照明装置１０、第２の照明装置９０及び照明システム１の構成は、特に明記しない場合は、実施の形態と同様であり、同一の構成については同一の符号を付して構成に関する詳細な説明を省略する。
【０１１０】
本変形例では、照明システム１の動作の他の一例を示す。制御装置１００、第１の照明装置１０、第２の照明装置９０及び照明システム１の動作について説明する。
【０１１１】
図７は、実施の形態の変形例１に係る照明システム１の動作を示すフロー図である。
【０１１２】
なお、以下の動作の説明では、例えば、最初にリラックスモードが選択されている場合に、ユーザが覚醒モードを選択した場合であり、ユーザが照明連動を選択した場合を想定する。また、最初に覚醒モードが選択されている場合であり、ユーザがリラックスモードを選択した場合も同様であるため、その説明を省略する。
【０１１３】
まず、図７に示すように、制御部１１０は、第１の照明装置１０に各々の第２の照明装置９０を照明連動させるか否かを判断する（Ｓ１１）。
【０１１４】
第１の照明装置１０に各々の第２の照明装置９０を照明連動させる場合（Ｓ１１でＹＥＳ）、制御部１１０は、再生中の映像コンテンツの現在の雲の面積比率を算出する（Ｓ１２）。具体的には、制御部１１０は、再生している映像コンテンツに含まれる映像が示す雲の面積比率を逐次算出する。
【０１１５】
一方、第１の照明装置１０に各々の第２の照明装置９０を照明連動させない場合（Ｓ１１でＮＯ）、制御部１１０は、この処理を終了し、ステップＳ１１に戻る。
【０１１６】
次に、制御部１１０は、ステップＳ１２で算出した各々の雲の面積比率から、第２の照明装置９０が出射する第２の出力をそれぞれ算出する（Ｓ１３）。例えば、図６の（ｄ）のテーブルに応じて、制御部１１０は、第２の照明装置９０が出射する第２の出力をそれぞれ算出する。
【０１１７】
次に、制御部１１０は、ステップＳ１３で算出した各々の第２の出力に応じて、各々の第２の照明装置９０を制御する（Ｓ１４）。そして、制御部１１０は、この処理を終了し、ステップＳ１１に戻る。
【０１１８】
これにより、制御装置１００は、第１の映像コンテンツ又は第２の映像コンテンツ内の雲の面積比率を連続的にモニタし、雲の面積比率に応じて第２の照明装置９０の第２の出力を連続的に変化させる。その結果、第２の照明装置９０は、第１の照明装置１０が映し出す映像に応じた明るさで点灯する。
【０１１９】
（実施の形態の変形例２）
［構成］
本変形例に係る制御装置１００、第１の照明装置１０、第２の照明装置９０及び照明システム１の構成について説明する。
【０１２０】
図８は、実施の形態の変形例２に係る照明システム１の点灯状態を示す図である。
【０１２１】
本変形例では第１の照明装置１０が１台であったが、本の変形例では、複数の第１の照明装置１０を配置している点で、実施の形態と相違する。本変形例の制御装置１００、第１の照明装置１０、第２の照明装置９０及び照明システム１の構成は、特に明記しない場合は、実施の形態と同様であり、同一の構成については同一の符号を付して構成に関する詳細な説明を省略する。
【０１２２】
図８に示すように、制御装置１００の制御部１１０は、第１の映像コンテンツ又は第２の映像コンテンツが示す映像を、複数の第１の照明装置１０の数に応じて空間的に分割し、複数の分割情報を生成する。制御部１１０は、分割された各々の分割情報が示す映像を、各々の第１の照明装置１０の設置位置に応じて出力する。つまり、制御部１１０は、各々の分割情報を各々の第１の照明装置１０に一対一で出力する。制御部１１０は、各々の第１の照明装置１０の設置位置に応じて、第１の映像コンテンツ、及び第２の映像コンテンツの各々の分割情報を、各々の第１の照明装置１０に入力する。分割した映像を、それぞれをどの第１の照明装置１０へ供給するかについて、第１の照明装置１０の配置に基づいて、ユーザが操作端末１５０を介して設定する。
【０１２３】
第１の映像コンテンツを用いて、具体的に例を挙げて説明すると、第１の映像コンテンツを、各々の第１の照明装置１０ａ、１０ｂ、１０ｃに対応するように空間的に３分割する。３分割した第１の映像コンテンツのそれぞれを第１の照明装置１０ａ、１０ｂ、１０ｃのそれぞれに一対一で出力する。つまり、各々の第１の照明装置１０ａ、１０ｂ、１０ｃは、マルチディスプレイのように、空間的に分割した第１の映像コンテンツを映し出す。
【０１２４】
［作用効果］
上述したように、本変形例に係る照明システム１において、第１の照明装置１０は、複数設けられる。そして、制御装置１００は、第１の映像コンテンツ及び第２の映像コンテンツが示す映像を、空間的に分割し、分割した映像を、各々の第１の照明装置１０の設置位置に応じて出力する。
【０１２５】
これによれば、第１の映像コンテンツ及び第２の映像コンテンツのうち、各々の第１の照明装置１０の設置位置に応じた領域を点灯させる。このため、各々の第１の照明装置１０をユーザが見た場合に、例えば、第１の照明装置１０ａ、第１の照明装置１０ｂ、及び第１の照明装置１０ｃのこの順番で、雲が流れていく様子を再現することができるため、各々の第１の照明装置１０ａ、１０ｂ、１０ｃに自然の空を再現した映像を映し出すことができる。
【０１２６】
（その他変形例等）
以上、本開示について、実施の形態、及び実施の形態の変形例１、２に基づいて説明したが、本開示は、上記実施の形態、及び実施の形態の変形例１、２に限定されるものではない。
【０１２７】
例えば、上記実施の形態、及び実施の形態の変形例１、２に係る制御装置、第１の照明装置、第２の照明装置及び照明システムにおいて、制御装置は、第１の照明装置に設けられていてもよく、第２の照明装置に設けられていてもよく、第１の照明装置及び第２の照明装置とは別の装置として設けられていてもよい。
【０１２８】
また、上記実施の形態、及び実施の形態の変形例１、２に係る制御装置、第１の照明装置、第２の照明装置及び照明システムに含まれる各処理部は典型的に集積回路であるＬＳＩとして実現される。これらは個別に１チップ化されてもよいし、一部又は全てを含むように１チップ化されてもよい。
【０１２９】
また、上記実施の形態、及び実施の形態の変形例１、２に係る制御装置、第１の照明装置、第２の照明装置及び照明システムにおいて、制御装置が第１の照明装置に映像コンテンツに応じて第１の照明装置から出射する光を制御する場合に、例えば、映像コンテンツに含まれる映像が示す青空でも、輝度分布及び色度分布を適宜変えてもよい。つまり、使用している実際の青空の色味は地域によって異なるため、記憶部は、地域に応じた複数の第１の映像コンテンツ、及び複数の第２の映像コンテンツを格納していてもよい。ユーザは、操作端末を介して、地域を選択することができてもよい。これにより、制御装置は、地域に応じた第１の映像コンテンツ、又は第２の映像コンテンツを記憶部から選択し、選択した映像コンテンツを第１の照明装置に再生させる。
【０１３０】
また、上記実施の形態、及び実施の形態の変形例１、２に係る制御装置、第１の照明装置、第２の照明装置及び照明システムにおいて、制御部は、所定の時間を経過したら、リラックスモードと覚醒モードとを切り替えてもよい。つまり、制御部は、ユーザが操作端末を操作しなくても所定の時間が経過したら、自動的に照明装置に再生させる第１の映像コンテンツと第２の映像コンテンツとを切り替えることで、リラックスモードと覚醒モードとを切り替える制御を行う。この場合、操作端末から、切り替えを行う所定の時間をユーザによって設定することができてもよい。
【０１３１】
また、上記実施の形態、及び実施の形態の変形例１、２に係る制御装置、第１の照明装置、第２の照明装置及び照明システムにおいて、第１の照明装置と第２の照明装置とは、無線通信することができてもよい。この場合、操作端末、第１の照明装置、及び第２の照明装置が相互に無線通信することができてもよい。
【０１３２】
また、上記実施の形態、及び実施の形態の変形例１、２に係る制御装置、第１の照明装置、第２の照明装置及び照明システムにおいて、第２の照明装置は、第１の照明装置の筐体に収容されていてもよい。この場合、枠部１３の鍔部１３ａに第２の照明装置が固定されていてもよい。
【０１３３】
また、上記実施の形態、及び実施の形態の変形例１、２に係る制御装置、第１の照明装置、第２の照明装置及び照明システムは、方法及び方法をコンピュータによって実現するプログラムであってもよい。方法は、例えば、空の様子を擬似的に再現することが可能な照明装置を制御する制御方法であって、空を再現した領域と雲を再現した領域とからなる第１の映像コンテンツと、第１の映像コンテンツに示される空を再現した領域に対する雲を再現した領域の面積比率の所定時間における平均値が第１の映像コンテンツよりも小さい第２の映像コンテンツとを格納し、第１の映像コンテンツ又は第２の映像コンテンツに応じて照明装置から出射する光の輝度分布及び色度分布の少なくとも一方を時間的に変化させることで、第１の映像コンテンツ又は第２の映像コンテンツを照明装置に再生させることを含む。
【０１３４】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１３５】
なお、上記各実施の形態、及び実施の形態の変形例１、２において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０１３６】
また、上記で用いた数字は、全て本開示を具体的に説明するために例示するものであり、本開示の実施の形態、及び実施の形態の変形例１、２は例示された数字に制限されない。
【０１３７】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１３８】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１３９】
その他、実施の形態、及び実施の形態の変形例１、２に対して当業者が思いつく各種変形を施して得られる形態、本開示の趣旨を逸脱しない範囲で実施の形態、及び実施の形態の変形例１、２における構成要素及び機能を任意に組み合わせることで実現される形態も本開示に含まれる。
【符号の説明】
【０１４０】
１  照明システム
１０、１０ａ、１０ｂ、１０ｃ  第１の照明装置（照明装置）
２２  ＬＥＤ素子（光源）
４０  光拡散板
９０  第２の照明装置（照明装置）
１００  制御装置
１１０  制御部
１２０  記憶部
【図１】
2019102166.tif 000003
【図２】
2019102166.tif 000004
【図３】
2019102166.tif 000005
【図４】
2019102166.tif 000006
【図５】
2019102166.tif 000007
【図６】
2019102166.tif 000008
【図７】
2019102166.tif 000009
【図８】
2019102166.tif 000010